(57)【要約】【課題】梱包箱の大きさを変化させることなく取り扱い説明書やリモコン装置等の付属品を収容でき、且つ運搬時の移動により内部に収容された薄型テレビジョンを傷や破損させることがない薄型テレビジョン梱包方法を提供する。【解決手段】薄型テレビジョン１００を天面補強部材１２、１３並びに底面補強部材１４と嵌合させて梱包箱１１に収容する際、薄型テレビジョン１００の背面と梱包箱１１の内壁との間に、付属品を固定する付属品固定部材１５を配置する。付属品固定部材は帯状のダンボールの上辺が断面コ字状になるよう折り曲げたものであり、積載の際梱包箱１１の上面に積み上げられた他の梱包箱１１の荷重を上記付属品固定部材１１の上辺にて支持する。【選択図】図１
2008074417.tif 000002
【特許請求の範囲】
【請求項１】
奥行き寸法が小さい長方形の上面を有する箱形状であって、上記上面に薄型テレビジョンを収容するための開口を有する梱包箱と、
発砲スチロールで形成された箱型形状であって、上記薄型テレビジョンの天面と嵌合する凹部を有する第一の部材と第二の部材とから成る天面補強部材と、
発砲スチロールで形成された箱型形状であって、上記薄型テレビジョンの底面と嵌合する凹部を有する底面補強部材とを有し、
上記薄型テレビジョン上記天面補強部材と底面補強部材を嵌合させつつ、上記梱包箱の開口部から収容して梱包する薄型テレビジョン梱包構造において、
上記梱包箱は、表面処理の施されない帯状のダンボールパットを上記梱包箱の幅と略同等の長さになるよう両端面を折り曲げて断面コ字状を形成するとともに、両端面の曲げ方向に、上記薄型テレビジョンの付属品をテープにて固定する付属品固定面を有する付属品固定部材を有し、
上記付属品固定部材は、帯状の長手辺を上辺と下辺とした場合、上記付属品固定面の上辺と下辺に対して垂直に所定間隔を有して２本の切り込みを入れつつ、上記切り込みの内面側を上記両側面の曲げ方向と同方向に折り曲げて形成される形状であって、先端に厚みを同じに延設する突出片を形成する固定片を形成し、
上記梱包箱の開口から上記薄型テレビジョンを収容した後、上記固定片にて上方と下方を囲まれて固定された付属品を備える上記付属品固定部材を、コ字状を保ったまま上記付属品が固定される側の面を上記薄型テレビジョンの背面と対向させて、上記梱包箱と上記薄型テレビジョンの背面側に形成される空間であって、上記薄型テレビジョンの天面と嵌合する天面補強部材の第一の部材と第二の部材との間に配置されるよう収容することを特徴とする薄型テレビジョン梱包構造。
【請求項２】
奥行き寸法が小さい長方形の上面を有する箱形状であって、上記上面に薄型テレビジョンを収容するための開口を有する梱包箱と、
上記薄型テレビジョンの天面と嵌合する凹部を有する天面補強部材と、
上記薄型テレビジョンの底面と嵌合する凹部を有する底面補強部材とを有し、
上記薄型テレビジョンに上記天面補強部材と底面補強部材とを嵌合させて上記梱包箱の開口部から収容して梱包する薄型テレビジョン梱包方法において、
上記梱包箱は、帯状部材を上記梱包箱の幅分と略同等の長さになるよう両端面を折り曲げて断面コ字状を形成するとともに、上記両端面の曲げ方向に、上記薄型テレビジョンの付属品を固定する付属品固定面を有する付属品固定部材を有し、
上記梱包箱の開口から上記薄型テレビジョンを収容した後、上記付属品固定部材をコ字状を保ったまま、上記梱包箱と上記薄型テレビジョンの背面側に形成される空間に配置されて収容することを特徴とする薄型テレビジョン梱包方法。
【請求項３】
当該薄型テレビジョン梱包方法は、上記梱包箱の開口から上記付属品固定部材の上記付属品が固定される側の面を上記薄型テレビジョンの表示面に対向させつつ、コ字状を保ったまま上記梱包箱と上記薄型テレビジョンの前面側に形成される空間に配置されるよう収容することを特徴とする請求項２に記載の薄型テレビジョン梱包方法。
【請求項４】
上記付属品固定部材は、表面処理を施さないダンボールパットにて形成されることを特徴とする請求項２または請求項３のいずれかに記載の薄型テレビジョン梱包方法。
【請求項５】
上記付属品固定部材は、帯状の長手辺を上辺と下辺とした場合、上記付属品固定面の上辺と下辺に所定間隔を有して２つの切り込みを入れ、上記切り込みの内面側を上記両側面の曲げ方向と同方向に折り曲げることで、上記付属品を固定するための固定片を形成し、  上記付属品は、上記付属品固定部材の上記固定片にて上方と下方を囲まれた位置に、テープにより固定されることを特徴とする請求項２〜請求項４のいずれかに記載の薄型テレビジョン梱包方法。
【請求項６】
上記付属品固定部材の固定片の先端は、厚みを同じに所定長だけ延設した突出片を有することを特徴とする請求項５に記載の薄型テレビジョン梱包方法。
【請求項７】
上記天面補強部材は、上記薄型テレビジョンの各両端と嵌合する２つの第一の部材と第二の部材とからなり、
上記付属品固定部材は、付属品固定面の幅方向の長さを上記薄型テレビジョンに嵌合した上記第一の部材と第二の部材との間に収容可能とし、
上記付属品固定部材は、上記第一の部材と第二の部材との間に配置されるよう収容されることを特徴とする請求項２〜請求項６のいずれかに記載の薄型テレビジョン梱包方法。
【発明の詳細な説明】
【技術分野】
【０００１】
薄型テレビジョンを梱包する梱包方法に関し、特に運搬時による傷や破損を防止する梱包方法および上記梱包方法を使用した梱包構造に関する。
【背景技術】
【０００２】
プラズマテレビジョンや薄型テレビジョン等の薄型テレビジョンを梱包する方法としては、従来以下のような方法が知られている。図６は梱包された薄型テレビジョンを表す斜視図である。同図より、薄型テレビジョンを梱包する方法としては、薄型テレビジョンを収容する梱包箱１と、薄型テレビジョンを上記梱包箱に収容する際、薄型テレビジョンを梱包箱１内に固定するとともに、梱包箱内の薄型テレビジョンを保護するため天面と嵌合する発砲スチロール製の天面補強部材２、３と、同じく薄型テレビジョンの底面に固定して梱包箱に収容した際、薄型テレビジョンの幅方向の固定並びに保護を行う底面補強部材４とを有する構成である。上述した構成により薄型テレビジョンを梱包箱に収容すると、薄型テレビジョンは天面補強部材２、３、底面補強部材４より天面と底面を保護されて梱包される。
【０００３】
上述した梱包方法により薄型テレビジョンが梱包されるのは、工場から販売店に出荷される過程において、商品である薄型テレビジョンを移動による傷や、破損から防止するためのものである。薄型テレビジョンは、工場での組み立ての後、梱包箱１に梱包され、パレットや置台に複数単位で積み上げられた状態で、トラック等の貨物運搬手段により販売店まで輸送される。しかしながら、薄型テレビジョンの厚みは薄く、梱包箱１の形状もそれに合わせて厚みの薄い形状となっている。そのため、積み上げられた梱包箱１の荷重を受ける天面はどうしても小さくなり、積載荷重による梱包箱の潰れが発生する場合があった。このような場合では、梱包箱に収容された薄型テレビジョンは荷重により傷や、場合によっては破損を引き起こす原因となっていた。
【０００４】
運搬の際、薄型テレビジョンを積載による潰れから保護するために、薄型テレビジョンの側部を第１の梱包部材と第２の梱包部材にて挟みこんで支持するとともに、背面を第３の梱包部材にて支持した状態で梱包箱に収容する方法が開示されている。これにより、薄型テレビジョンの側部と背面を各梱包部材にて積載重量を支える天面を補強することが可能となる（例えば、特許文献１参照。）。
【０００５】
また、突起を有するアダプターによる梱包箱の内側での薄型テレビジョンの傷や破損を防止するために、梱包箱内の薄型テレビジョンの上面と梱包箱の蓋との間に、水平方向の移動を規制するよう梱包箱にて上記アダプターを固定して配置する方法が開示されている（例えば、特許文献２参照。）。
【特許文献１】特開２００５−１０４４７９号
【特許文献２】特開２００２−２４０８５９号
【発明の開示】
【発明が解決しようとする課題】
【０００６】
上述した特許文献１の発明は、次のような課題があった。つまり、薄型テレビジョンに梱包部材を固定して梱包箱に収容するため、薄型テレビジョンと一緒に梱包する付属品を収容するスペースが取れない問題が発生する。そのため、付属品を収容するスペースを新たに必要とし、梱包箱の大きさが大きくなっていた。現在薄型テレビジョンは様々な機能が盛り込まれており、そのため各機能を説明するための取り扱い説明書の厚みが以前にもまして厚くなってきている。また、上述した各機能が増大する反面、ユーザ側では使用しない機能を省いたシンプルな操作を望む声が高まっている。そのため、薄型テレビジョンの全機能を操作可能なリモコン装置と、必要最低限の機能のみを操作できる簡易リモコンの二つを付属品として有する薄型テレビジョンも現れている。そのため、梱包箱内で付属品を収容するスペースの割合は大きくなっており、特許文献１のように梱包部材にて薄型テレビジョンの補強を行った場合は、梱包箱と薄型テレビジョンとの隙間が減少し付属品を収容する空間がなくなってしまう。
【０００７】
また、特許文献２の発明は、次のような課題がった。梱包箱の内側での薄型テレビジョンの傷や破損は防止することができても、外側からの破損は防止することができない。よって、本発明の課題のように、梱包された状態での薄型テレビジョンの運搬による破損は防止することが出来ない。
【０００８】
本発明は、上記課題にかんがみてなされたもので、梱包箱の大きさを変化させることなく取り扱い説明書やリモコン装置等の付属品を収容でき、且つ運搬時の移動により内部に収容された薄型テレビジョンを傷や破損させることがない薄型テレビジョン梱包方法、および上記方法を使用した薄型テレビジョン梱包構造の提供を目的とする。
【課題を解決するための手段】
【０００９】
また、上記目的を達成するために、請求項２に記載の薄型テレビジョン梱包方法では、奥行き寸法が小さい長方形の上面を有する箱形状であって、上記上面に薄型テレビジョンを収容するための開口を有する梱包箱と、上記薄型テレビジョンの天面と嵌合する凹部を有する天面補強部材と、上記薄型テレビジョンの底面と嵌合する凹部を有する底面補強部材とを有し、上記天面補強部材と底面補強部材を嵌合させて上記梱包箱の開口部から上記薄型テレビジョンを収容して梱包する薄型テレビジョン梱包方法において、
上記梱包箱は、帯状の部材を上記梱包箱の幅分と略同等の長さになるよう両端面を折り曲げて断面コ字状を形成するとともに、上記両端面の曲げ方向に上記薄型テレビジョンの付属品を固定する付属品固定面を有する付属品固定部材を有し、上記梱包箱の開口から上記薄型テレビジョンを収容した後、上記付属品固定部材をコ字状を保ったまま上記梱包箱と上記薄型テレビジョンの背面側に形成される空間に配置されるよう収容する構成としてある。
【００１０】
上記のように構成した薄型テレビジョン梱包方法では、付属品固定部材は、帯状の部材の両端面をコ字状に折り曲げるとともに、上記付属品固定面の折り曲げ方向に付属品を固定する構成としている。上記した付属品固定部材を梱包箱の薄型テレビジョンと梱包箱の内壁との間に、付属品を固定した付属品固定面を薄型テレビジョンの背面と対向するよう配置する。このとき、コ字状に折り曲げた両端面は、梱包箱の側壁内側と薄型テレビジョンの側面との間に形成された空間に収容されることで、付属品固定部材のコ字状を保持する。これにより、梱包箱の上面は天面補強部材と付属品固定部材にて補強され、上面に他の薄型テレビジョンを梱包した梱包箱を積載した場合でも梱包箱の潰れを防止する。
【００１１】
上述した付属品固定部材を梱包箱に配置する場所は、収容される薄型テレビジョンの背面側に限定されるものではない。そのため、請求項３にかかる薄型テレビジョン梱包方法では、当該薄型テレビジョン梱包方法は、上記梱包箱の開口から上記付属品固定部材の上記付属品が固定される付属品固定面を上記薄型テレビジョンの表示面に対向させつつ、コ字状を保ったまま上記梱包箱と上記薄型テレビジョンの前面側に形成される空間に配置されるよう収容する構成としてある。
上記のように構成した薄型テレビジョン梱包方法では、付属品固定部材は、梱包箱の薄型テレビジョンの表示面側にも配置される。これにより梱包箱内のスペースを有効に使用することが可能となる。また、付属品固定部材の配置方法は、梱包箱の薄型テレビジョンの表示面側だけでもよいし、表示面側と背面側の両方であってもよい。
【００１２】
さらに、付属品固定部材の具体的な材質として請求項４の薄型テレビジョン梱包方法では、上記付属品固定部材は、表面処理を施さないダンボールパットにて形成される構成としてある。
上記のように構成した薄型テレビジョン梱包方法では、付属品固定部材は梱包箱と異なり内部に収容されるものなので表面処理を施す必要がない。そのため表面処理を施さないダンボールパットを使用して付属品固定部材を形成することにより生産コストを抑えることが可能となる。
【００１３】
また、付属品固定部材の具体的な構成の一例として、請求項５にかかる薄型テレビジョン梱包方法では、上記付属品固定部材は、帯状の長手辺を上辺と下辺とした場合、上記付属品固定面の上辺と下辺に所定間隔を有して２本の切り込みを入れ、上記切り込みの内面側を上記両側面の曲げ方向と同方向に折り曲げることで、上記付属品を固定するための固定片を形成し、上記付属品は、上記付属品固定部材の上記固定片にて上方と下方を囲まれた位置に、テープにより固定される構成としてある。
【００１４】
上記のように構成した請求項５にかかる薄型テレビジョン梱包方法では、付属品固定部材の上辺と下辺に両側面の曲げ方向と同方向に折り曲げた固定片を形成している。付属品は、上記した固定片により上方と下方を囲まれて付属品固定面にテープにより固定される。これにより、梱包箱の運搬の際、付属品が内部で移動することがないため、梱包される薄型テレビジョンを傷や破損から守ることが可能となる。
【００１５】
さらに、付属品固定部材の具体的な構成の一例として請求項６にかかる薄型テレビジョン梱包方法では、上記付属品固定部材の固定片の先端は、厚みを同じに所定長だけ延設した突出片を有する構成としてある。
上記のように構成した請求項６にかかる発明において、梱包箱に薄型テレビジョンと付属品固定部材とを梱包した状態で、側部から衝撃を加えられると、固定片の先端に形成された突出片が薄型テレビジョンと当接しつつ、潰れ等により形状を変形させて加えられた衝撃を吸収する。これにより梱包された薄型テレビジョンを傷や破損から守ることが可能となる。
【００１６】
さらに、梱包箱に収容される天面補強部材の具体的な構成の一例として請求項７にかかる薄型テレビジョン梱包方法では、上記天面補強部材は、上記薄型テレビジョンの各両端と嵌合する２つの第一の部材と第二の部材とからなり、上記付属品固定部材は、付属品固定面の幅方向の長さを上記薄型テレビジョンに嵌合した上記第一の部材と第二の部材との間に収容可能とし、上記付属品固定部材は、上記第一の部材と第二の部材との間に配置するよう収容される構成としてある。
【００１７】
上記のように構成した請求項７にかかる発明において、天面補強部材は、薄型テレビジョンの天面側の両端と嵌合する。そのため、薄型テレビジョンの中方付近であって、上記した第一の部材と第二の部材との間に空間が形成さえる。付属品固定部材は上記第一の部材と第二の部材の間に配置される構成といている。このため、付属品固定部材は、特に幅方向で小さくなり、作成する材料を少なくすることができ資源の無駄を省くことが可能となる。
【００１８】
上記課題を解決するために、本発明の請求項１にかかる発明では、奥行き寸法が小さい長方形の上面を有する箱形状であって、上記上面に薄型テレビジョンを収容するための開口を有する梱包箱と、発砲スチロールで形成された箱型形状であって、上記薄型テレビジョンの天面と嵌合する凹部を有する第一の部材と第二の部材とから成る天面補強部材と、発砲スチロールで形成された箱型形状であって、上記薄型テレビジョンの底面と嵌合する凹部を有する底面補強部材とを有し、上記天面補強部材と底面補強部材を嵌合させて上記梱包箱の開口部から上記薄型テレビジョンを収容して梱包する薄型テレビジョン梱包構造において、
上記梱包箱は、表面処理の施されない帯状のダンボールパットにて形成されるとともに、上記帯状の付属品固定面を上記梱包箱の幅と略同等の長さになるよう両端面を折り曲げて断面コ字状を形成するとともに、上記付属品固定面の両端面の曲げ方向に、上記薄型テレビジョンの付属品をテープにて固定する付属品固定部材を有し、上記付属品固定部材は、帯状の長手辺を上辺と下辺とした場合、上記付属品固定面の上辺と下辺に対して垂直に所定間隔を有して２本の切り込みを入れつつ、上記切り込みの内面側を上記両側面の曲げ方向と同方向に折り曲げて形成される形状であって、曲げ方向先端に厚みを同じに延設する突出片を形成する固定片を形成し、上記梱包箱の開口から上記薄型テレビジョンを収容した後、上記固定片にて上方と下方を囲まれて固定された付属品を備える上記付属品固定部材を、コ字状を保ったまま上記付属品が固定される付属品固定面を上記薄型テレビジョンの背面と対向させて、上記梱包箱と上記薄型テレビジョンの背面側に形成される空間であって、上記薄型テレビジョンの天面と嵌合する天面補強部材の第一の部材と第二の部材との間に配置されるよう収容する構成としてある。
【発明の効果】
【００１９】
以上説明したように本発明によれば、梱包箱の大きさを変化させることなく取り扱い説明書やリモコン装置等の付属品を収容でき、且つ運搬時の移動により内部に収容された薄型テレビジョンを傷や破損させることがない薄型テレビジョン梱包方法を提供することができる。
また請求項３にかかる発明によれば、梱包箱内のスペースを有効に使用することが可能となる。
そして請求項４にかかる発明によれば、生産コストを抑えることが可能となる。
さらに請求項５にかかる発明によれば、梱包された薄型テレビジョンを傷や破損から守ることが可能となる。
また請求項６にかかる発明によれば、梱包された薄型テレビジョンを傷や破損から守ることが可能となる。
そして請求項７にかかる発明によれば、資源の無駄を省くことが可能となる。
さらに請求項１のような、より具体的な構成において、上述した請求項２〜請求項７の各発明と同様の作用を奏することはいうまでもない。
【発明を実施するための最良の形態】
【００２０】
本発明の薄型テレビジョン梱包方法の具体的な説明を下記の順序に従って説明する。
（１）第一の実施の形態
（２）第一の実施の形態のまとめ
（３）第二の実施の形態
（４）第二の実施の形態のまとめ
（４）第三の実施の形態
（５）第三の実施の形態のまとめ
【００２１】
（１）第一の実施の形態
以下、図１〜図３を参照して、この発明を具体化した第１の実施の形態について説明する。図１は、本発明の第一の実施の形態での薄型テレビジョン梱包構造を表す展開図である。同図より、薄型テレビジョン梱包構造１０は、薄型テレビジョン１００を梱包する梱包箱１１と、薄型テレビジョン１００の天面と嵌合する天面補強部材１２、１３、薄型テレビジョン１００の底面と嵌合する底面補強部材１４、さらにはリモコン等の付属品を固定するとともに、梱包箱１１の補強を行う付属品固定部材１５とを有する構成である。上記構成により、薄型テレビジョン梱包構造１０は、まず薄型テレビジョン１００の天面に天面補強部材１２、１３を嵌合し、底面に底面補強部材１４を嵌合した状態で薄型テレビジョン１００を梱包箱１１に収容する。次に、付属品固定部材１５に付属品を固定した状態で、付属品固定部材１５を梱包箱１１に収容する。以下順を追って各部の詳細な説明を行う。
【００２２】
梱包箱１１は、薄型テレビジョン１００や付属品１０１を収容して、運搬時に薄型テレビジョンを傷や破損から守るためのものである。そのため梱包箱１１は、ダンボール等の厚みを有する紙類にて形成されるとともに薄型テレビジョン１００の形状に合わせて奥行き寸法が小さい長方形の上面を有する箱形状であって、上記上面に薄型テレビジョンを収容するための開口を有する箱型形状である。また、梱包箱１１の上面には薄型テレビジョン１００を収容するための開口部１１ａを有しており、開口部１１ａから薄型テレビジョン１００を梱包箱１１に収容する。さらに、開口部１１ａの周辺には厚みを同じに延設する蓋片１１ｂ、１１ｃ、１１ｄ、１１ｅを有しており、薄型テレビジョン１００を開口部１１ａから収容した後、蓋片１１ｂ、１１ｃ、１１ｄ、１１ｅを開口部１１ａの中心に向けて開口部１１ａの周辺から折り合わせる。その後、上記折り合わせた蓋片１１ｂ、１１ｃ、１１ｄ、１１ｅをテープ等の粘着性の布により固定することで、薄型テレビジョン１００を梱包する。さらに、梱包箱１１の側面には運搬時に手を挿入することで、梱包箱１１を運び易くする運搬用孔１１ｆ、１１ｇを有している。これにより、薄型テレビジョン１００を梱包した後、運搬用孔１１ｆ、１１ｇに両手を挿入して運搬することができる。  
【００２３】
本発明の梱包箱１１はダンボールにて形成された一体形状であるが、梱包箱１１の形状はこれに限定されず、底側の梱包箱に薄型テレビジョンを収容した後、上記底側の箱に上箱を被せる構成のものであってもよい。また、蓋片１１ｂ、１１ｃ、１１ｄ、１１ｅの枚数や、開口部１１ａの位置などはどのような構成であってもよくこれらは設計事項である。
【００２４】
天面補強部材１２、１３、並びに底面補強部材１４は薄型テレビジョン１００と嵌合して梱包箱１１に収容されることで、薄型テレビジョンを保護するためのものである。天面補強部材１２、１３は発砲スチロールにて形成され、横断面が長方形の箱型形状の本体部１２ａ、１３ａの略中心に薄型テレビジョンの天面周辺と嵌合する凹部１２ｂ、１３ｂを有する形状である。上述した凹部１２ｂ、１３ｂは、本体部１２ａ、１３ａの長手辺に対して垂直に溝を形成しており、上記溝に薄型テレビジョン１００の天面を挿入して嵌合した際、本体部１２ａ、１３ａの長手方向が薄型テレビジョン１００の表示面に対して略垂直となるよう配置される。また、本体部１２ａ、１３ａの長手辺の長さは、梱包箱１１の幅と同じ長さである。そのため、上記凹部１２ｂ、１３ｂに上方から天面周辺を挿入して、薄型テレビジョン１００と嵌合した際、天面補強部材１２、１３の本体部１２ａ、１３ａの前面と後面が梱包箱１１の厚み方向内壁と当接する。
【００２５】
底面補強部材１４は、発砲スチロールにて形成され、薄型テレビジョン１００の底面もしくは脚部の底面と嵌合する凹部１４ｂを有する形状である。底面補強部材１４は、横断面が薄型テレビジョン１００の横断面外周より大きい長方形であって且つ、梱包箱１１の底面と略同等の大きさである本体部１４ａの上面の略中央に、薄型テレビジョン１００の底面又は脚部の底面と嵌合する凹部１４ｂを形成する形状である。上述した凹部１４ｂは、薄型テレビジョン１００の横断面（パネル横断面）の各外周辺を本体部１４ａの各外周辺とそれぞれ略並行になるよう、底面補強部材１４を薄型テレビジョン１００と嵌合する。上記底面補強部材１４の構造により、薄型テレビジョン１００の底面または脚部底面を上記凹部１４ｂに挿入して梱包箱１１に挿入すると、底面補強部材１４の横断面外周が梱包箱１１の内壁と当接する。
【００２６】
上述した天面補強部材１２、１３、さらには底面補強部材１４を薄型テレビジョン１００と嵌合した状態で梱包箱１１に挿入すると、天面補強部材１２、１３、並びに底面補強部材１４の外周面が梱包箱１１の内壁周辺と当接して、薄型テレビジョン１００を梱包箱１１の所定位置に固定する。このとき、天面補強部材１２、１３、及び底面補強部材１４の外周は、薄型テレビジョン１００の外周より大きく、且つ各補強部材の外周と梱包箱１１の内壁側が当接しているため、収容された薄型テレビジョン１００と梱包箱１１の内側空間には空間が形成される。具体的には、空間が形成される場所としては、薄型テレビジョン１００の表示面側と背面側であって、高さ方向が底面補強部材１４から天面補強部材１２、１３に掛けての位置である。そのため、本発明では付属品固定部材１５を用いて、上述した空間に付属品を配置して収容する。
【００２７】
以下に付属品固定部材１５の説明を行う。図２は付属品固定部材を表す斜視図である。付属品固定部材１５は、リモコン装置や取り扱い説明書を梱包箱１１の所定位置に配置して収容するためのものである。本発明の実施の形態での付属品１０１は、薄型テレビジョン１００の機能を説明する取り扱い説明書１０１ａと、薄型テレビジョン１００を遠隔操作するとともに、薄型テレビジョン１００の全機能を操作可能なリモコン装置１０１ｂさらには、薄型テレビジョン１００を遠隔操作するとともに、薄型テレビジョン１００の必要最低限の機能のみを操作可能な簡易リモコン１０１ｃとからなっている。上述した付属品はこれに限定されず、使用する薄型テレビジョンに合わせて適宜変更されるものである。
【００２８】
図２より、付属品固定部材１５は、表面処理が施されない厚みの薄い帯状のダンボールパットの両端面を同方向に折り曲げて横断面が断面コ字状とした構成である。付属品固定部材１５は、中心の面を付属品固定面１５ａとして、付属品固定面１５ａの両端を所定長だけ折り曲げた面を両端面１５ｂ、１５ｃとしている。また、付属品固定面１５ａの長手辺を上辺と下辺とした場合、上記上辺と下辺の略中心に上辺、下辺と略垂直に所定間隔を有して２本の切り込みを入れ、上記切り欠きの内側面を、両端面１５ｂ、１５ｃの曲げ方向と同方向に折って立ち上げた付属品固定片１５ａ１、１５ａ２が形成されている。上述した付属品固定片１５ａ１、１５ａ２は、上辺に厚みを同じに延設する突出片１５ａ３、１５ａ４を形成している。これにより、付属品固定片１５ａ１、１５ａ２により上側と下側を囲われた付属品固定面１５ａに、付属品である、リモコン装置や取り扱い説明書を固定して配置する。
【００２９】
以下に付属品１０１を付属品固定部材１５に固定する方法を説明する。付属品１０１は、付属品固定部材１５の付属品固定片１５ａ１、１５ａ２に上方と下方を挟まれる位置に、テープにより貼り付けられて固定される。これにより付属品１０１は付属品固定部材１５の両端面１５ｂ、１５ｃの曲げ方向に配置されることとなる。また、付属品の並びとしては、適宜変更可能なものである。
【００３０】
以下に梱包箱１１に収容される付属品固定部材１５の構成を説明する。図３は、梱包箱に収容される付属品固定部材を表す上面図である。同図より、付属品固定部材１５は、薄型テレビジョン１００の背面と梱包箱１１の内壁との間に付属品固定面１５ａを収容するとともに、両端面１５ｂ、１５ｃを薄型テレビジョン１００の側面と梱包箱１１の側面との間に収容する。天面補強部材１２、１３は薄型テレビジョン１００の天面両端と嵌合しているので、薄型テレビジョン１００の背面中心付近は梱包箱１１の内壁、天面補強部材１２、１３の側壁とで囲まれた開口を有している。そのため付属品固定部材１５に固定された付属品１０１は上述した背面中心付近の開口から挿入される。また、付属品固定部材１５の底辺は、底面補強部材１４と当接して梱包箱１１の所定位置に配置される。これにより、付属品固定部材１５に固定される付属品は、天面補強部材１２、１３と底面補強部材１４により形成された、薄型テレビジョン１００の背面と梱包箱１１の内壁との間に形成された空間に配置される。このとき、薄型テレビジョン１００の背面に向けて延設する突出片１５ａ３、１５ａ４は薄型テレビジョン１００の背面と当接して配置されている。  
【００３１】
（２）第一の実施の形態のまとめ
上述した方法により薄型テレビジョン１００並びに、付属品固定部材１５を収容した梱包箱１１は、上面側に天面補強部材１２、１３の上面と付属品固定部材１５のコ字状の上辺が配置される。そのため、梱包箱１１の上面に積載物（他の薄型テレビジョンが梱包された梱包箱）を積載した場合でも、荷重を天面補強部材１２、１３、並びに付属品固定部材１５のコ字状の上辺にて支持するため荷重に対する応力が強くなる。これにより、積載の際に梱包箱１１の潰れに強い薄型テレビジョン梱包構造を構成することが可能となる。また、付属品固定部材１５は表面処理を施さないダンボールにて形成されるため、梱包箱１１自体の強度を上げる場合にくらべ、低コストで補強を行うことができる。さらには、梱包箱１１の薄型テレビジョン１００の背面側から衝撃が加えられた場合でも、上記した突出片１５ａ３、１５ａ４が、薄型テレビジョン１００の背面に突き当たるとともに変形を起こし、薄型テレビジョン１００の裏面側からの衝撃を和らげる。
【００３２】
（３）第二の実施の形態
次に、図４を参照して、この発明に係る第２の実施の形態について説明する。上述した、第一の実施の形態では、付属品固定部材１５を薄型テレビジョン１００の背面全面を覆うよう配置した。しかしながら、付属品固定部材１５を天面補強部材１２、１３と、薄型テレビジョン１００の背面さらには梱包箱１１の内壁にて周囲を囲まれる空間に収容するものであってもよい。これにより、第一の実施の形態と同様の効果が得られるとともに、付属品固定部材１５の大きさを小さくすることで、付属品固定部材１５を形成する材料を少なくすることができ、よって過剰包装を排除して資源の無駄を省くことが可能となる。  
【００３３】
図４は、第二の実施の形態での梱包箱１１に収容される付属品固定部材１５を表す上面図である。同図より、付属品固定部材１５は、天面補強部材１２、１３と、薄型テレビジョンの背面さらには梱包箱１１の内壁にて周囲を囲まれる空間に収容される。そのため、付属品固定部材１５の付属品固定面１５ａの幅は薄型テレビジョン１００と嵌合する天面補強部材１２から天面補強部材１３までの長さと略等々の長さである。また、両端面１５ｂ、１５ｃの長さは、梱包箱１１に収容される薄型テレビジョンの背面から梱包箱１１の内面までの長さと略同等の長さであることが望ましい。
【００３４】
上述した形状の付属品固定部材１５を、上述した梱包箱１１の背面の天面補強部材１２、１３との間に形成された空間に配置する方法を説明する。具体的には、付属品固定部材１５の付属品固定面１５ａに付属品１０１をテープにて固定するとともに、両端面１５ｂ、１５ｃを付属品１０１の固定方向に折り曲げる。その状態で、付属品固定部材１５を、付属品固定面１５ａの付属品１０１が固定される方向を薄型テレビジョン１００の背面と対向させて、上述した梱包箱１１の背面側の天面補強部材１２、１３の間より挿入する。このとき、より好ましくは、付属品固定面１５ａの大きさは少なくとも付属品１０１を固定する大きさと同等の大きさである必要があるため、付属品固定面１５ａが配置される天面補強部材１２と天面補強部材１３との間は、付属品固定面１５ａの大きさと同等の大きさである必要がある。
【００３５】
（４）第二の実施の形態のまとめ
これにより、梱包箱１１の天面は、天面補強部材１２、１３、および天面補強部材１２、１３の間に位置する付属品固定部材１５の上片がコ字状に配置される。そのため上面に積載物を置いた場合でも、上記した天面補強部材１２、１３、および付属品固定部材１５の上辺が天面に加えられた荷重を支える。また、付属品固定部材１５を構成する材料は第一の実施の形態よりも少なくすることが可能であり、資源の無駄を省くことが可能となる。
【００３６】
（５）第三の実施の形態
上述した第一の実施の形態と第二の実施の形態では付属品固定部材１５を薄型テレビジョン１００の背面側に配置することで、梱包箱１１の上面側の補強を行った。しかしながら、２つの付属品固定部材１５を薄型テレビジョン１００の表示面側と背面側に配置するものであってもよい。これは、付属品の多い場合などには、薄型テレビジョン１００の表示面と背面に形成された空間を使用するため梱包箱１１の空間を有効に使用することが可能であるとともに、梱包箱１１の上面側の積載重量に対する補強を強固にして、梱包箱１１の積載による潰れを防止することができる。
【００３７】
図５は第三の実施の形態での梱包箱に収容される付属品固定部材１５、１６を表す上面図である。第三の実施の形態にて使用される付属品固定部材１５、１６の形状は第一の実施の形態にて説明した付属品固定部材１５と同等の形状であるためここでは説明を省略する。同図より、付属品固定部材１５、１６は梱包箱１１内の薄型テレビジョン１００の表示面側と背面側に付属品を固定した付属品固定面をそれぞれ対向させて配置されている。これにより、梱包箱１１の上面では、天面補強部材１２、１３の上面と、付属品固定部材１５、１６のコ字状に形成された上辺が配置される。
【００３８】
（４）第三の実施の形態のまとめ
上述した第三の実施の形態により、梱包箱１１は付属品固定部材１５、１６を全面側と背面側に配置して収容するため、梱包箱１１の上面に積載される他の梱包箱の重量を上述した天面補強部材１２、１３並びに付属品固定部材１５、１６のコ字状の上辺で支持する。そのため、梱包箱の上面はより重い積載荷重を支持することが可能となる。さらに、梱包箱１１と収容される薄型テレビジョン１００との間にできたスペースを付属品固定部材１５、１６を用いて付属品を収容するために利用することが可能となり、梱包箱１１をより一層効率よく使用することが可能となる。
【００３９】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００４０】
【図１】薄型テレビジョン梱包構造を表す展開図である。
【図２】付属品固定部材を表す斜視図である。
【図３】梱包箱に収容される付属品固定部材を表す上面図である。
【図４】梱包箱に収容される付属品固定部材を表す上面図である。
【図５】梱包箱に収容される付属品固定部材を表す上面図である。
【図６】従来の梱包された薄型テレビジョンを表す斜視図である。
【符号の説明】
【００４１】
１０…薄型テレビジョン梱包構造、１１…梱包箱、１１ａ…開口部、１１ｂ、１１ｃ、１１ｄ、１１ｅ…蓋片、１１ｆ、１１ｇ…運搬用孔、１２、１３…天面補強部材、１２ａ、１３ａ…本体部、１２ｂ、１３ｂ…凹部、１４…底面補強部材、１４ａ…本体部、１４ｂ…凹部、１５…付属品固定部材、１５ａ…付属品固定面、１５ｂ、１５ｃ…両端面、１５ａ１、１５ａ２…付属品固定片、１５ａ３、１５ａ４…突出片、１６…付属品固定部材、１００…薄型テレビジョン、１０１…付属品、１０１ａ…説明書、１０１ｂ…リモコン装置、１０１ｃ…簡易リモコン
【図１】
2008074417.tif 000003
【図２】
2008074417.tif 000004
【図３】
2008074417.tif 000005
【図４】
2008074417.tif 000006
【図５】
2008074417.tif 000007
【図６】
2008074417.tif 000008